(57)【特許請求の範囲】
【請求項１】
筐体内部に弾性的に吊支した外槽と、回転中心軸を鉛直方向に有し前記外槽内に回転自在に支持し洗濯物を収容する内槽と、底部に回転自在に配した回転翼と、前記内槽または回転翼を駆動する駆動手段と、前記内槽内に給水する給水経路と、前記内槽内に送風する送風手段と、前記送風手段により送風される空気を加熱する加熱手段と、前記送風手段による送風を内槽内に導く送風経路と、前記駆動手段、前記給水経路、前記送風手段および前記加熱手段を制御し、洗濯、乾燥等所定の運転を実行する制御手段とを備え、前記給水経路の先端部に給水吐出部を接続し、前記給水吐出部の底部には、前記給水経路の出口に対応して水溜め部を設け、前記送風手段からの送風の一部を前記給水吐出部内に分岐通風した洗濯乾燥機。
【請求項２】
給水吐出部の内部に水溜め部の近傍に給水部を並設し、前記給水部の底部には給水穴を設けた請求項１記載の洗濯乾燥機。
【請求項３】
給水吐出部には、送風手段からの送風の一部を給水吐出部内に分岐通風するガイド部を一体に設けた請求項１または２に記載の洗濯乾燥機。
【請求項４】
ガイド部は、送風経路の出口の一部を覆う請求項３記載の洗濯乾燥機。
【請求項５】
制御手段は、所定の動作を制御し、少なくとも最終脱水時に送風手段を制御し、送風する請求項１〜４のいずれか１項に記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図４に示すように構成されていた。以下、その構成について説明する。
【０００３】
図４に示すように、筐体１は、内部に複数のサスペンション２によって弾性的に吊り下げた外槽３を内包し、脱水時の振動をサスペンション２によって吸収する構成としている。外槽３の内部には、回転中心軸を略鉛直方向に有し、洗濯物または乾燥対象物（以下、衣類という）を収容する内槽４を中空で２重構造とした洗濯軸５ａ、脱水軸５ｂを中心に回転可能に配設している。内槽４の内底部には、衣類を撹拌する回転翼６を回転自在に配設している。
【０００４】
内槽４の内部周壁には小孔（図示せず）を多数設けるとともに、上方には流体バランサ７を設けている。回転翼６は、その形状を外周を傾斜面とした鍋型にすることにより、乾燥行程において衣類を回転翼６の回転による遠心力で傾斜面に沿って上方へと舞い上がり易くしている。
【０００５】
駆動手段であるモータ８は、外槽３の底部に取り付けられ、洗濯または脱水時に回転力の伝達を洗濯軸５ａまたは脱水軸５ｂに切り換えるクラッチ９と洗濯軸５ａまたは脱水軸５ｂを介して、内槽４または回転翼６に連結している。
【０００６】
熱交換機１０は、循環する湿った温風を除湿するもので、一端を循環路切り換え兼排水弁１１、伸縮自在の下部蛇腹状ホース１２を介して外槽３の下部に接続し、他端を送風手段１３の一端に接続している。送風手段１３の他端は加熱手段であるヒータ１４を有する第１の送風経路１５に接続し、第２の送風経路である伸縮自在の乾燥用上部蛇腹状ホース１６を介して、内槽４へ連通し、温風が循環する経路を構成している。
【０００７】
外槽３には、上面を気密的に覆う外槽カバー１７を設けており、この外槽カバー１７に乾燥用上部蛇腹状ホース１６からの送風経路の出口１８を設けている。さらに外槽カバー１７には中蓋１９を開閉自在に設け、衣類を出し入れできるようにしている。
【０００８】
筐体カバー２０は筐体１の上部を覆うもので、開閉蓋２１を開閉自在に有し、制御装置（制御手段）２２を設けるとともに、内槽４に給水する給水弁２３を設けている。この給水弁２３は、給水経路である給水用上部蛇腹状ホース２４を経て外槽カバー１７に水密的に結合され、給水経路の出口２５が開口している。熱交換用送風手段２６は、筐体１内部に設けられ、外槽３、熱交換器１０などを送風により冷却する。
【０００９】
制御装置２２は、モータ８、クラッチ９、循環路切り換え兼排水弁１１、送風手段１３、ヒータ１４、給水弁２５、熱交換用送風手段２６などの動作を制御し、洗濯、脱水、乾燥の各行程を制御する。
【００１０】
上記構成において動作を説明する。洗濯行程において、開閉蓋２１と中蓋１９を開け、内槽４に衣類と洗剤が投入され、運転が開始されると、制御装置２２は、給水弁２３を開いて所定の水位まで給水した後、モータ８を駆動する。モータ８の動力は、伝達機構部のクラッチ９、洗濯軸５ａを介して回転翼６に伝達される。回転翼６の回転により衣類が撹拌され、衣類同士、および衣類と内槽４の内壁や回転翼６との接触により衣類に機械力が作用し、その機械力と洗剤の洗浄力により洗濯が行われる。
【００１１】
脱水行程では、洗濯終了後、循環路切り換え兼排水弁１１の排水側を開いて内槽４内の水を排出した後、伝達機構部のクラッチ９を脱水側に切り換える。モータ８の動力は、脱水軸５ｂを介して内槽４に伝達される。内槽４の回転による遠心力が衣類に与えられ、水分が衣類から分離されることにより、脱水が行われる。
【００１２】
乾燥行程では、まず、クラッチ９を洗濯側に切り換えて、モータ８の動力を回転翼６に伝達する。回転翼６を急速に正逆回転させることにより、脱水の遠心力で内槽４の内壁に張り付いた衣類を引き剥がす。次に、回転翼６を正逆回転させ衣類を撹拌させながら、送風手段１３とヒータ１４により温風を送風経路の出口１８に送る。送風経路の出口１８より内槽４内に吹き込まれた温風は、衣類から水分を蒸発させた後、内槽４から外槽３の内側へ出て、下部蛇腹状ホース１２を通過し、熱交換器１０へ至る。
【００１３】
衣類の水分を奪って湿気を含んだ温風が、外槽３の内壁や熱交換器１０内を通過しているとき、筐体１の側面に設置した熱交換用送風手段２６による外部空気の流入で、外槽３や熱交換器１０の外壁が冷却される。その冷却により、内部では水分の結露が発生し、湿った温風は除湿され、送風手段１３に戻る。この循環する経路で温風を循環させることにより、内槽内の衣類を乾燥させることができるものである。
【００１４】
【発明が解決しようとする課題】
しかしながら、上記従来の構成では、洗濯時の給水弁２５の開放により給水が行われ、その後給水が終わっても、給水弁２５と給水経路の出口２５間の給水経路である給水用上部蛇腹状ホース２４等内に残水している。この残水が、脱水時、脱水終了後もしくは乾燥時、乾燥終了後に、内槽内の衣類の上に落下してしまい、せっかく脱水もしくは乾燥した衣類を再び濡らしてしまうといった問題があった。
【００１５】
また、洗濯〜乾燥行程において、かりに、脱水時の振動により給水経路内の残水が脱水中に振動により落下し、脱水され、脱水終了後は無くなったとしても、乾燥行程において、内槽４内に乾燥の蒸気が発生し、その蒸気が給水経路である給水用上部蛇腹状ホース２４内に侵入する。その結露水が集成し、大きな水滴となり、乾燥終了後、衣類を取り出す際などに落下し、乾燥した衣類を再び濡らしてしまうといった問題があった。
【００１６】
本発明は、上記従来の課題を解決するもので、脱水終了後および乾燥終了後に給水経路の出口から水滴が落下し、脱水もしくは乾燥した衣類が再び濡れてしまうのを防止することを目的としている。
【００１７】
【課題を解決するための手段】
この従来の課題を解決するために、本発明の洗濯乾燥機は、給水経路の先端部に給水吐出部を接続し、給水吐出部の底部には、給水経路の出口に対応して水溜め部を設け、送風手段からの送風の一部を給水吐出部内に分岐通風したものである。
【００１８】
これにより、脱水終了後および乾燥終了後に給水経路の出口から落下する水滴を受け止めることができ、水滴が脱水もしくは乾燥した衣類に落下するのを防止することができる。また、給水吐出部の底部の水溜め部に溜まった水を吹き飛ばし、あるいは蒸発させることにより、水溜め部の水溜め許容量を増やすことができるため、給水経路から新たに落下する水滴を、一定量保持することができるとともに、給水吐出部の内部を乾燥させることが可能なため、水滴が脱水もしくは乾燥した衣類に落下するのを防止することができ、脱水もしくは乾燥した衣類が再び濡れてしまうのをさらに防止することができる。
【００１９】
【発明の実施の形態】
請求項１に記載の発明は、筐体内部に弾性的に吊支した外槽と、回転中心軸を鉛直方向に有し前記外槽内に回転自在に支持し洗濯物を収容する内槽と、底部に回転自在に配した回転翼と、前記内槽または回転翼を駆動する駆動手段と、前記内槽内に給水する給水経路と、前記内槽内に送風する送風手段と、前記送風手段により送風される空気を加熱する加熱手段と、前記送風手段による送風を内槽内に導く送風経路と、前記駆動手段、前記給水経路、前記送風手段および前記加熱手段を制御し、洗濯、乾燥等所定の運転を実行する制御手段とを備え、前記給水経路の先端部に給水吐出部を接続し、前記給水吐出部の底部には、前記給水経路の出口に対応して水溜め部を設け、前記送風手段からの送風の一部を前記給水吐出部内に分岐通風したものであり、これにより、脱水終了後および乾燥終了後に給水経路の出口から落下する水滴を受け止めることができ、水滴が脱水もしくは乾燥した衣類に落下するのを防止することができるため、脱水もしくは乾燥した衣類が再び濡れてしまうのを防止することができる。
【００２０】
また、給水吐出部の底部の水溜め部に溜まった水を吹き飛ばし、あるいは蒸発させることにより、水溜め部の水溜め許容量を増やすことができるため、給水経路から新たに落下する水滴を、一定量保持することができるとともに、給水吐出部の内部を乾燥させることが可能なため、水滴が脱水もしくは乾燥した衣類に落下するのを防止することができ、脱水もしくは乾燥した衣類が再び濡れてしまうのをさらに防止することができる。
【００２１】
請求項２に記載の発明は、上記請求項１記載の発明において、給水吐出部の内部に水溜め部の近傍に給水部を並設し、前記給水部の底部には給水穴を設けたものであり、給水時には、水溜め部から溢れた水が、並設した給水部に移動し、給水部の底部に設けた給水穴から内槽内に水を注水することができるため、給水穴を調整することにより、水の放出方向、放出形状も簡単に設定することができるとともに、脱水終了後および乾燥終了後に給水経路の出口から落下する水滴を受け止めることができ、水滴が脱水もしくは乾燥した衣類に落下するのを防止することができるため、脱水もしくは乾燥した衣類が再び濡れてしまうのを防止することができる。
【００２２】
請求項３に記載の発明は、上記請求項１または請求項２に記載の発明において、給水吐出部には、送風手段からの送風の一部を給水吐出部内に分岐通風するガイド部を一体に設けたものであり、給水吐出部は単一部品により構成できるため、安価に製造することができる。
【００２３】
請求項４に記載の発明は、上記請求項３記載の発明において、ガイド部は、送風経路の出口の一部を覆うものであり、簡単な構造で、送風手段からの送風の一部を給水吐出部内に分岐通風することができるため、安価に製造することができる。
【００２４】
請求項５に記載の発明は、上記請求項１〜４のいずれか１つに記載の発明において、制御手段は、所定の動作を制御し、少なくとも最終脱水時に送風手段を制御し、送風するものであり、特に最終脱水時に給水吐出部の底部の水溜め部に溜まった水を吹き飛ばすことにより、水溜め部の水溜め許容量を増やすことができるため、給水経路から新たに落下する水滴を、一定量保持することができ、水滴が脱水した衣類に落下するのを防止することができ、脱水した衣類が再び濡れてしまうのを防止することができる。
【００２５】
【実施例】
以下、本実施例について、図面を参照しながら説明する。尚、従来例と同じ構成のものは同一符号を付して説明を省略する。
【００２６】
（実施例１）
図１は、本発明の第１の実施例における洗濯乾燥機の縦断面図、図２は、同要部拡大断面図である。
【００２７】
図１において、外槽３は、筐体１内に弾性的に吊支し、その内部に回転中心軸を略鉛直方向に有する内槽４を回転自在に支持している。外槽３には、上面を気密的に覆う外槽カバー１７を設けており、この外槽カバー１７に送風経路の出口１８を設けている。
【００２８】
筐体カバー２０は筐体１の上部を覆うもので、開閉蓋２１を開閉自在に有し、制御装置（制御手段）２２を設けるとともに、内槽４に給水する給水弁２３を設けている。この給水弁２３は、給水経路である給水用上部蛇腹状ホース２４を経て外槽カバー１７に水密的に結合され、外槽カバー１７には給水経路の出口２５が開口している。この給水経路の出口２５部分には、給水吐出部３０が、外槽カバー１７の下方より取り付けられている。
【００２９】
図２（ａ）に給水吐出部３０近傍の拡大断面図を示す。図２（ａ）において、給水吐出部３０が、外槽カバー１７の下方から、ねじ３１により取り付けられている。給水経路の出口２５の対応下方には、リブ３２により、水溜め部３３が設けられている。この水溜め部３３の隣には、リブ３２を介して、給水部３４を設けている。給水部３４の底部には、給水穴３５を複数個設けている。
【００３０】
上記構成において動作を説明する。洗濯行程では、循環路切り換え兼排水弁１１の排水側を閉じた状態で、内槽４に洗濯物と洗剤を投入し、運転を開始すると、制御装置２２は、給水弁２３を開いて給水を行う。
【００３１】
ここで、給水時の水の流れを説明すると、給水弁２３から流れ出た水は、給水経路である給水用上部蛇腹状ホース２４を経て、外槽カバー１７に設けられた給水経路の出口２５に至る。その後、給水吐出部３０の底部の水溜め部３３に落下し、そこから溢れた水が、リブ３２を乗り越え、給水部３４に至り、複数個の給水穴３５より、内槽４内に放出される。この際、複数個の給水穴３５の数、形状、方向等を所定に設定することにより、水の放出方向も比較的簡単に設定することができ、かつ、水の放出形状の見栄えも良くするように調整することができる。たとえば、水の放出方向としては、内槽４の内壁近傍方向を設定し、かつ、シャワー状に広がるように設定することにより、すすぎ時に、内槽４を回転させながら、給水し、シャワーすすぎを実行することができる。
【００３２】
その後、所定の水位まで給水した後、モ−タ８を駆動する。モータ８の動力は、伝達機構部のクラッチ９、洗濯軸５ａを介して回転翼６に伝達される。回転翼６の回転により衣類が撹拌され、衣類同士、および衣類と内槽４の内壁や回転翼６との接触により衣類に機械力が作用し、その機械力と洗剤の洗浄力により洗濯が行われる。
【００３３】
脱水行程では、洗濯終了後、循環路切り換え兼排水弁１１の排水側を開いて内槽４内の水を排出した後、伝達機構部のクラッチ９を脱水側に切り換える。モータ８の動力は、脱水軸５ｂを介して内槽４に伝達される。内槽４の回転による遠心力が衣類に与えられ、水分が衣類から分離されることにより、脱水が行われる。
【００３４】
このとき、給水吐出部３０の底部の水溜め部３３には、脱水前には給水時の水３６がリブ３２の先端近傍まで溜まっているが、脱水中は外槽の振動により、水３６はリブ３２を乗り越え、給水部３４に至り、底部の給水穴３５を通って、内槽４内に落下し、内槽４の脱水回転により外槽３へ放出され、水３６の水面はリブ３２の先端面より低くなり、水溜め許容量を増やすことができる。したがって、給水用上部蛇腹状ホース２４内に残った残水３７が、水滴となって、脱水中、脱水後または衣類取り出し時に、水滴となって、水溜め部３３に落下しても、水溜め部３３に蓄積されるだけで、内槽４内には落下しない。
【００３５】
乾燥行程では、まず、クラッチ９を洗濯側に切り換えて、モータ８の動力を回転翼６に伝達する。回転翼６を急速に正逆回転させることにより、脱水の遠心力で内槽４の内壁に張り付いた衣類を引き剥がす。次に、回転翼６を正逆回転させ衣類を撹拌させながら、送風手段１３とヒータ１４により温風を送風経路の出口１８に送る。送風経路の出口１８より内槽４に吹き込まれた温風は、衣類から水分を蒸発させた後、内槽４から外槽３の内側へ出て、下部蛇腹状ホース１２を通過し、熱交換器１０へ至る。
【００３６】
衣類の水分を奪って湿気を含んだ熱風が、外槽３の内壁や熱交換器１０内を通過しているとき、筐体１の側面に設置した熱交換用送風手段２６による外部空気の流入で、外槽３や熱交換器１０の外壁が冷却される。その内部では水分の結露が発生し、湿った熱風は除湿され、送風手段１３に戻る。この循環する経路で温風を循環させることにより、内槽４内の衣類を乾燥させることができる。
【００３７】
このとき、内槽４内に乾燥の蒸気が発生し、その蒸気が給水経路である給水用上部蛇腹状ホース２４内に侵入する。その蒸気は給水用上部蛇腹状ホース２４内部で結露し、結露水が生成される。その結露水が集成し、大きな水滴となり、水溜め部３３に落下するが、そこに蓄積されるだけで、内槽４内には落下しない。このとき、水溜め部３３内の水３６は、内槽４内の温風の温度により、乾燥され蒸発し、水３６の水面はリブ３２の先端面より低くなり、水溜め許容量を増やすことができるため、上記水滴が水溜め部３３内に落下しても、リブ３２を乗り越えて、給水部３４に至ることはない。
【００３８】
以上のように、本実施例１によれば、水滴が脱水もしくは乾燥した衣類に落下するのを防止することができ、脱水終了後もしくは乾燥終了後に、脱水もしくは乾燥した衣類が再び濡れてしまうといった問題を防止することができる。
【００３９】
なお、本実施例は、水溜め部３３と給水部３４をリブ３２にて分けたが、図２（ｂ）のように水溜め部３８を給水部３９より所定高さ低くして、凹形状としても、同等の効果が得られることはいうまでもない。
【００４０】
（実施例２）
図３は、本発明の第２の実施例における洗濯乾燥機の要部拡大断面図である。
【００４１】
図３（ａ）において、給水経路である給水用上部蛇腹状ホース２４は、外槽カバー１７に水密的に結合され、外槽カバー１７には給水経路の出口２５が開口している。この給水経路の出口２５部分には、給水吐出部４０が、外槽カバー１７の下方から、ねじ４１により取り付けられている。給水経路の出口２５の対応下方には、リブ４２により、水溜め部４３が設けられている。この水溜め部４３の隣には、リブ４２を介して、給水部４４を設けている。給水部４４の底部には、給水穴４５を複数個設けている。また、給水吐出部４０の側壁には、上方を開口したガイド部４６を設け、そのガイド部４６の先端は、外槽カバー１７に設けた乾燥用上部蛇腹状ホース１６からの送風経路の出口１８の一部を覆っている。実施例１と異なるところは、ガイド部４６を設けた点である。
【００４２】
上記構成において、実施例１と異なる動作を説明する。
【００４３】
乾燥行程において、内槽４内に乾燥の蒸気が発生し、その蒸気が、矢印ａのように給水穴４５を通り、給水吐出部４０の内部および給水用上部蛇腹状ホース２４内に侵入する。その蒸気は、給水吐出部４０の内部および給水用上部蛇腹状ホース２４内部で結露し、結露水が生成される。その結露水が集成し、水滴となり、給水吐出部４０の内面および給水用上部蛇腹状ホース２４内面に付着する。本実施例では、乾燥用上部蛇腹状ホース１６からの送風経路の出口１８の一部を覆っているガイド部４６を設けているので、送風経路の出口１８からの乾燥用の温風の一部が、矢印ｂのように、ガイド部４６に沿って、給水吐出部４０の内部に分岐通風される。この分岐通風された温風により、給水吐出部４０の内面に付着した結露水は乾燥され、蒸発する。したがって、給水吐出部４０の内面に付着した結露水が集成し、大きな水滴となり、給水穴４５を通って、内槽４内に落下するといったことはない。
【００４４】
また、給水用上部蛇腹状ホース２４内部の給水時の残水や、乾燥時の結露水４７が、乾燥中に水溜め部４３に落下し、その水溜め部４３に水４８が溜まったとしても、分岐通風された温風（矢印ｂ）により、水４８は乾燥されたり、吹き飛ばされたりして、その量を減少させることができる。したがって、水溜め部４３の水溜め許容量を増やすことができるため、結露水の集成による水滴が水溜め部３３内に落下しても、リブ３２を乗り越えて、給水部３４に至ることはない。
【００４５】
さらに、本実施例の構成において、洗濯行程の少なくとも最終脱水行程時に、送風手段１３を作動し、送風経路の出口１８から送風することにより、その送風の一部が給水吐出部４０の内部に分岐通風されるため、水４８は吹き飛ばされ、その量を減少させることができるため、水４６の水面はリブ４２の先端面より低くなり、水溜め許容量を増やすことができる。したがって、脱水終了時に、衣類を取り出す際、外槽３の揺れにより、給水用上部蛇腹状ホース２４内部の水滴が水溜め部４３に落下し、水４８の水面が上昇したとしても、リブ４２を乗り越えて、給水部３４に至ることはない。なお、この送風手段１３の作動は、脱水終了際に所定時間実行することにより、最小の時間を設定でき、脱水終了時の水４８の量を最少にできるため、最小の消費電力で最大の効果を得ることができるものである。  なお、本実施例では、送風手段のみ動作させたが、同時に、ヒータ１４も動作させ、送風を温風にすることにより、水４８を乾燥できるといった作用も加わるため、さらなる効果が得られることはいうまでもない。
【００４６】
以上のように、本実施例２によれば、水滴が脱水もしくは乾燥した衣類に落下するのを防止することができ、脱水終了後もしくは乾燥終了後に、脱水もしくは乾燥した衣類が再び濡れてしまうといった問題を防止することができる。
【００４７】
また、給水吐出部４０には、送風手段１３からの送風の一部を給水吐出部４０内に分岐通風するガイド部４６を一体に設けた構成としているため、給水吐出部４０は単一部品により構成できるため、安価に製造することができる。
【００４８】
さらに、ガイド部４６により送風経路の出口１８の一部を覆った構成としているため、簡単な構造で、送風手段か１３らの送風の一部を給水吐出部４０内部に分岐通風することができるため、給水吐出部４０を安価に製造することができる。
【００４９】
なお、本実施例では、送風手段のみ動作させたが、同時に、ヒータ１４も動作させ、送風を温風にすることにより、水４８を乾燥できるといった作用も加わるため、さらなる効果が得られることはいうまでもない。
【００５０】
また、本実施例は、水溜め部４３と給水部４４をリブ４２にて分けたが、図３（ｂ）のように水溜め部５０を給水部５１より所定高さ低くして、凹形状としても、同等の効果が得られることはいうまでもない。
【００５１】
さらに、本実施例では、ガイド部４６を給水吐出部４０と一体に設けたが、別部品を用いて、送風経路の途中から分岐させても、同等の効果が得られることはいうまでもない。
【００５２】
【発明の効果】
以上のように本発明の請求項１記載の発明によれば、筐体内部に弾性的に吊支した外槽と、回転中心軸を鉛直方向に有し前記外槽内に回転自在に支持し洗濯物を収容する内槽と、底部に回転自在に配した回転翼と、前記内槽または回転翼を駆動する駆動手段と、前記内槽内に給水する給水経路と、前記内槽内に送風する送風手段と、前記送風手段により送風される空気を加熱する加熱手段と、前記送風手段による送風を内槽内に導く送風経路と、前記駆動手段、前記給水経路、前記送風手段および前記加熱手段を制御し、洗濯、乾燥等所定の運転を実行する制御手段とを備え、前記給水経路の先端部に給水吐出部を接続し、前記給水吐出部の底部には、前記給水経路の出口に対応して水溜め部を設け、前記送風手段からの送風の一部を前記給水吐出部内に分岐通風したから、脱水終了後および乾燥終了後に給水経路の出口から落下する水滴を受け止めることができ、水滴が脱水もしくは乾燥した衣類に落下するのを防止することができるため、脱水もしくは乾燥した衣類が再び濡れてしまうのを防止することができる。
【００５３】
また、給水吐出部の底部の水溜め部に溜まった水を吹き飛ばし、あるいは蒸発させることにより、水溜め部の水溜め許容量を増やすことができるため、給水経路から新たに落下する水滴を、一定量保持することができるとともに、給水吐出部の内部を乾燥させることが可能なため、水滴が脱水もしくは乾燥した衣類に落下するのを防止することができ、脱水もしくは乾燥した衣類が再び濡れてしまうのをさらに防止することができる。
【００５４】
また、請求項２に記載の発明によれば、給水吐出部の内部に水溜め部の近傍に給水部を並設し、前記給水部の底部には給水穴を設けたから、給水時には、水溜め部から溢れた水が、並設した給水部に移動し、給水部の底部に設けた給水穴から内槽内に水を注水することができるため、給水穴を調整することにより、水の放出方向、放出形状も簡単に設定することができるとともに、脱水終了後および乾燥終了後に給水経路の出口から落下する水滴を受け止めることができ、水滴が脱水もしくは乾燥した衣類に落下するのを防止することができるため、脱水もしくは乾燥した衣類が再び濡れてしまうのを防止することができる。
【００５５】
また、請求項３に記載の発明によれば、給水吐出部には、送風手段からの送風の一部を給水吐出部内に分岐通風するガイド部を一体に設けたから、給水吐出部は単一部品により構成できるため、安価に製造することができる。
【００５６】
また、請求項４に記載の発明によれば、ガイド部は、送風経路の出口の一部を覆ったから、簡単な構造で、送風手段からの送風の一部を給水吐出部内に分岐通風することができるため、安価に製造することができる。
【００５７】
また、請求項５に記載の発明によれば、制御手段は、所定の動作を制御し、少なくとも最終脱水時に送風手段を制御し、送風したから、特に最終脱水時に給水吐出部の底部の水溜め部に溜まった水を吹き飛ばすことにより、水溜め部の水溜め許容量を増やすことができるため、給水経路から新たに落下する水滴を、一定量保持することができ、水滴が脱水した衣類に落下するのを防止することができ、脱水した衣類が再び濡れてしまうのを防止することができる。
【図面の簡単な説明】
【図１】  本発明の第１の実施例における洗濯乾燥機の縦断面図
【図２】  （ａ）同洗濯乾燥機の給水吐出部の拡大断面図
（ｂ）同洗濯乾燥機の他の実施例の給水吐出部の拡大断面図
【図３】  （ａ）第２の実施例における洗濯乾燥機の給水吐出部の拡大断面図
（ｂ）同洗濯乾燥機の他の実施例の給水吐出部の拡大断面図
【図４】  従来の洗濯乾燥機の縦断面図
【符号の説明】
１  筐体
３  外槽
４  内槽
６  回転翼
８  モータ（駆動手段）
１３  送風手段
１４  ヒータ（加熱手段）
１６  乾燥用上部蛇腹状ホース（送風経路）
２２  制御装置（制御手段）
２４  給水用上部蛇腹状ホース（給水経路）
３０  給水吐出部
３３  水溜め部
【図１】
0004457520.tif 000002
【図２】
0004457520.tif 000003
【図３】
0004457520.tif 000004
【図４】
0004457520.tif 000005